(57)【要約】【課題】チャネル通知に要する通信リソースを増大させることなく、新たに追加される無線チャネルの割り当てを移動局に通知する。【解決手段】基地局１２は、移動局との通信に少なくとも１つの既存チャネルを割り当てる場合に、その少なくとも１つの既存チャネルの割り当てを示す所定サイズの通常ＭＡＰ（チャネル情報）を移動局に送信する。一方、基地局１２は、移動局との通信に既存チャネルとは異なる少なくとも１つの追加チャネルを割り当てる場合に、通常ＭＡＰに代えて、移動局との通信へのチャネル割り当てを示す所定サイズ（通常ＭＡＰのサイズ）以下の圧縮ＭＡＰ（圧縮チャネル情報）を移動局に送信する。【選択図】図３
2010177840.tif 000002
【特許請求の範囲】
【請求項１】
移動局装置との通信に少なくとも１つの既存チャネルを割り当てる場合に、該少なくとも１つの既存チャネルの割り当てを示す所定サイズのチャネル情報を前記移動局装置に送信する基地局装置であって、
前記移動局装置との通信に前記既存チャネルとは異なる少なくとも１つの追加チャネルを割り当てる場合に、前記チャネル情報に代えて、前記移動局装置との通信へのチャネル割り当てを示す前記所定サイズ以下の圧縮チャネル情報を前記移動局装置に送信するチャネル通知手段、
を含むことを特徴とする基地局装置。
【請求項２】
請求項１に記載の基地局装置において、
前記チャネル通知手段は、前記基地局装置が前記移動局装置と空間多重通信を行う場合に、前記圧縮チャネル情報を前記移動局装置に送信する、
ことを特徴とする基地局装置。
【請求項３】
請求項１に記載の基地局装置において、
前記追加チャネルは、前記既存チャネルが属する周波数帯域とは異なる周波数帯域に属する無線チャネルである、
ことを特徴とする基地局装置。
【請求項４】
請求項１から４のいずれかに記載の基地局装置において、
前記既存チャネルおよび前記追加チャネルは、それぞれ連続する識別番号のいずれかで識別される無線チャネルであり、
前記圧縮チャネル情報は、前記移動局装置との通信に割り当てられる連続する１以上の無線チャネルの開始位置を識別する識別番号と、該連続する１以上の無線チャネルの連続数と、の組み合わせを少なくとも１組含む、
ことを特徴とする基地局装置。
【請求項５】
請求項４に記載の基地局装置において、
前記各既存チャネルおよび前記各追加チャネルは、周波数方向に規定された複数のサブチャネルのいずれかと、時間方向に規定された複数のタイムスロットのいずれかと、に属し、
前記圧縮チャネル情報は、前記連続する１以上の無線チャネルが周波数方向および時間方向のいずれに連続するかを示す情報をさらに含む、
ことを特徴とする基地局装置。
【請求項６】
請求項２に記載の基地局装置において、
前記空間多重通信は、ＭＩＭＯによる多重通信である、
ことを特徴とする基地局装置。
【請求項７】
移動局装置との通信に少なくとも１つの既存チャネルを割り当てる場合に、該少なくとも１つの既存チャネルの割り当てを示す所定サイズのチャネル情報を前記移動局装置に送信する基地局装置のチャネル通知方法であって、
前記移動局装置との通信に前記既存チャネルとは異なる少なくとも１つの追加チャネルを割り当てる場合に、前記チャネル情報に代えて、前記移動局装置との通信へのチャネル割り当てを示す前記所定サイズ以下の圧縮チャネル情報を前記移動局装置に送信する、
ことを特徴とするチャネル通知方法。
【発明の詳細な説明】
【技術分野】
【０００１】
本発明は、基地局装置およびチャネル通知方法に関し、特に、移動局に対して無線チャネルの割り当てを通知する技術に関する。
【背景技術】
【０００２】
移動通信システムの中には、基地局が、移動局との通信に割り当てる無線チャネルの位置（周波数帯域、タイムスロットなど）や数を電波状況などに応じて適宜変更することにより、通信品質の向上を図るものがある。
【０００３】
たとえば非特許文献１に規定されるＸＧＰ（Next Generation Personal Handy-phone System）では、１フレームごとに、基地局が、所定数（たとえば７２）のＰＲＵ（Physical Resource Unit）と呼ばれる無線チャネルの中から、移動局との通信に割り当てる少なくとも１つの無線チャネルを決定する。各ＰＲＵは１から始まる連続するＰＲＵ番号（１，２，３，・・・）のいずれかで識別されるよう規定されており（図１０参照）、移動局との通信に割り当てられたＰＲＵは、所定数のＰＲＵそれぞれの割り当て有無を示すＭＡＰと呼ばれるチャネル情報（たとえば、割り当てられるＰＲＵが“１”、割り当てられないＰＲＵが“０”で表される７２ビットのビット列）によって、基地局から移動局に通知される（図１１参照）。
【先行技術文献】
【非特許文献】
【０００４】
【非特許文献１】“ARIB STD-T95「OFDMA/TDMA TDD Broadband Wireless AccessSystem (Next Generation PHS）ARIBSTANDARD」1.0版”、平成１９年１２月１２日、社団法人電波産業会
【非特許文献２】“A-GN4.00-01-TS Ver.01 rev.03”、２００７年１０月２６日、PHS MoU Group
【発明の概要】
【発明が解決しようとする課題】
【０００５】
上記移動通信システムにおいて、今後、伝送レートのさらなる向上を目的して、ＭＩＭＯ（Multi Input Multi Output）などの空間多重通信や周波数帯域の拡張が行われる可能性がある。
【０００６】
しかしながら、既存の無線チャネル（以下「既存チャネル」という）の割り当てを示すために定められた従来のチャネル情報では、新たに追加される無線チャネル（以下「追加チャネル」という）のことまで考慮されていない。このため、たとえばＸＧＰで定められたＭＡＰでは、サイズ不足により、所定数（たとえば７２）を超えるＰＲＵの割り当てを表すことができない。とはいえ、チャネル情報のサイズを安易に拡大すると、チャネル通知に要する通信リソースが増大し、データ通信速度（スループット）の低下を招いてしまう。
【０００７】
本発明は、チャネル通知に要する通信リソースを増大させることなく、追加チャネルの割り当てを移動局に通知することができる基地局装置およびチャネル通知方法を提供することを目的とする。
【課題を解決するための手段】
【０００８】
上記課題を解決するために、本発明に係る基地局装置は、移動局装置との通信に少なくとも１つの既存チャネルを割り当てる場合に、該少なくとも１つの既存チャネルの割り当てを示す所定サイズのチャネル情報を前記移動局装置に送信する基地局装置であって、前記移動局装置との通信に前記既存チャネルとは異なる少なくとも１つの追加チャネルを割り当てる場合に、前記チャネル情報に代えて、前記移動局装置との通信へのチャネル割り当てを示す前記所定サイズ以下の圧縮チャネル情報を前記移動局装置に送信するチャネル通知手段を含むことを特徴とする。
【０００９】
本発明によれば、基地局装置が、移動局装置との通信に少なくとも１つの追加チャネルを割り当てる場合に、チャネル情報のサイズ以下の圧縮チャネル情報を移動局装置に送信する。このため、チャネル通知に要する通信リソースを増大させることなく、追加チャネルの割り当てを移動局装置に通知することができる。
【００１０】
また、本発明の一態様では、前記チャネル通知手段は、前記基地局装置が前記移動局装置と空間多重通信を行う場合に、前記圧縮チャネル情報を前記移動局装置に送信する。
【００１１】
この態様によれば、空間多重通信によって移動局装置との通信に割り当て可能な無線チャネルの数が増加しても、チャネル通知に要する通信リソースを増大させることなく、追加チャネルの割り当てを移動局装置に通知することができる。この態様では、前記空間多重通信は、ＭＩＭＯによる多重通信であってもよい。
【００１２】
また、本発明の一態様では、前記追加チャネルは、前記既存チャネルが属する周波数帯域とは異なる周波数帯域に属する無線チャネルである。
【００１３】
この態様によれば、使用周波数帯域の拡張などによって移動局装置との通信に割り当て可能な無線チャネルの数が増加しても、チャネル通知に要する通信リソースを増大させることなく、追加チャネルの割り当てを移動局装置に通知することができる。
【００１４】
また、本発明の一態様では、前記既存チャネルおよび前記追加チャネルは、それぞれ連続する識別番号のいずれかで識別される無線チャネルであり、前記圧縮チャネル情報は、前記移動局装置との通信に割り当てられる連続する１以上の無線チャネルの開始位置を識別する識別番号と、該連続する１以上の無線チャネルの連続数と、の組み合わせを少なくとも１組含む。
【００１５】
この態様によれば、移動局装置との通信に割り当てられる無線チャネルの中で連続する（互いに隣り合う）無線チャネルが占める割合が大きくなるほど、圧縮チャネル情報の圧縮率が向上するようになる。
【００１６】
なお、この態様では、前記各既存チャネルおよび前記各追加チャネルは、周波数方向に規定された複数のサブチャネルのいずれかと、時間方向に規定された複数のタイムスロットのいずれかと、に属し、前記圧縮チャネル情報は、前記連続する１以上の無線チャネルが周波数方向および時間方向のいずれに連続するかを示す情報をさらに含んでもよい。
【００１７】
また、本発明に係るチャネル通知方法は、移動局装置との通信に少なくとも１つの既存チャネルを割り当てる場合に、該少なくとも１つの既存チャネルの割り当てを示す所定サイズのチャネル情報を前記移動局装置に送信する基地局装置のチャネル通知方法であって、前記移動局装置との通信に前記既存チャネルとは異なる少なくとも１つの追加チャネルを割り当てる場合に、前記チャネル情報に代えて、前記移動局装置との通信へのチャネル割り当てを示す前記所定サイズ以下の圧縮チャネル情報を前記移動局装置に送信することを特徴とする。
【図面の簡単な説明】
【００１８】
【図１】本発明の実施形態に係る移動通信システムの構成図である。
【図２】本発明の実施形態に係るＰＲＵ構成を示す図である。
【図３】本発明の実施形態に係る基地局の機能ブロック図である。
【図４】圧縮ＭＡＰを含むＰＨＹヘッダを示す図である。
【図５】ＭＡＰヘッダ（ＭＡＰ−Ｈ）の一例を示す図である。
【図６】ＭＡＰボディ（ＭＡＰ−Ｂ）の一例を示す図である。
【図７】チャネル割り当ての一例を示す図である。
【図８】本発明の実施形態に係るチャネル通知処理を示すフロー図である。
【図９】チャネル割り当ての他の例を示す図である。
【図１０】非特許文献１に規定されるＰＲＵ構成の一例を示す図である。
【図１１】非特許文献１に規定されるＰＨＹヘッダの一例を示す図である。
【発明を実施するための形態】
【００１９】
以下、本発明の一実施形態を図面に基づいて詳細に説明する。
【００２０】
図１は、本発明の一実施形態に係る移動通信システム１０の構成図である。同図に示すように、移動通信システム１０は、複数の基地局１２（ここでは１つのみを示す）と、複数の移動局１４（ここでは移動局１４−１〜１４−３のみを示す）と、を含んで構成されている。ここでは、移動通信システム１０が、上記非特許文献１に記載の規格に準拠したＸＧＰであるものとする。
【００２１】
すなわち、基地局１２は、ＯＦＤＭＡ（Orthogonal Frequency Division Multiple Access：直交周波数分割多元接続）方式およびＴＤＭＡ／ＴＤＤ（Time Division Multiple Access/Time Division Duplex：時分割多元接続／時分割双方向通信）方式により、複数の移動局１４と多重通信を行う。
【００２２】
移動通信システム１０では、図１０に示すように、時間方向に規定された１ＴＤＭＡフレーム（５ｍｓ）の半分がアップリンクおよびダウンリンクのそれぞれに割り当てられており、そのＴＤＭＡフレームの半分がさらに４つのタイムスロットに均等に区分されている。また、周波数方向には、ＯＦＤＭＡによる１８のサブチャネルが規定されている。そして、ＰＲＵと呼ばれる無線チャネルの最小単位は、タイムスロット（スロット＃１〜＃４）のいずれかとサブチャネル（サブチャネル＃１〜＃１８）のいずれかと、に属し、各ＰＲＵは、１から始まる連続するＰＲＵ番号（１，２，３，・・・）のいずれかで識別されるよう定められている。従来のＸＧＰに規定されているこれら７２のＰＲＵ（ＰＲＵ１〜ＰＲＵ７２）それぞれを、以下「既存チャネル」と称する。
【００２３】
さらに、基地局１２は、後述するように複数のアンテナ（ここでは４つとする）を備えており、複数のアンテナを備えた一部の移動局１４とＭＩＭＯによる空間多重通信を行うことができる。たとえば、基地局１２が４つのアンテナを備えた移動局１４とＭＩＭＯによる空間多重通信を行えば、ＭＩＭＯによる空間多重通信を行わない場合に比べて通信経路の数が最大４倍になる。
【００２４】
このため、移動通信システム１０では、図２に示すように、上記７２のＰＲＵ（既存チャネル）に加えて、さらに２１６（７２の３倍）のＰＲＵが規定されている。これら２１６のＰＲＵ（ＰＲＵ７３〜ＰＲＵ２８８）それぞれを、以下「追加チャネル」と称する。
【００２５】
本実施形態では、基地局１２が、１フレームごとに、既存チャネルと追加チャネルを併せた計２８８のＰＲＵの中から移動局１４との通信に割り当てる少なくとも１つのＰＲＵを決定し、決定したＰＲＵを次のようにしてその移動局１４に通知する。
【００２６】
まず、移動局１４との通信に割り当てられるＰＲＵがすべて既存チャネル（ＰＲＵ１〜ＰＲＵ７２）である場合、基地局１２は、従来のＸＧＰと同様、そのＰＲＵの割り当てを示す所定サイズのチャネル情報を移動局１４に送信する。具体的には、７２の既存チャネルそれぞれの割り当て有無を示す通常ＭＡＰ（チャネル情報）と呼ばれる７２ビットのビット列を含むＰＨＹヘッダ（図１１参照）が、ＡＮＣＨ（Anchor Channel）と呼ばれる制御チャネルを介して移動局１４に送信される。
【００２７】
一方、移動局１４との通信に割り当てられるＰＲＵの少なくとも１つが追加チャネル（ＰＲＵ７３〜ＰＲＵ２８８）である場合、基地局１２は、上記通常ＭＡＰに代えて、その割り当てられる少なくとも１つのＰＲＵを示す７２ビット以下の圧縮ＭＡＰ（後述）を含むＰＨＹヘッダ（図４参照）を、ＡＮＣＨを介して移動局１４に送信する。
【００２８】
このため、基地局１２は、移動局１４との通信に追加チャネルを割り当てる場合であっても、７２ビットの通常ＭＡＰを含むＰＨＹヘッダを移動局１４に対して２回以上送信しなくてもよいし、７３ビット以上のＭＡＰ（たとえば２８８のＰＲＵそれぞれの割り当て有無を示す２８８ビットのＭＡＰ）を含むＰＨＹヘッダを移動局１４に送信しなくてもよい。このように、本実施形態に係る基地局１２は、チャネル通知に要する通信リソースを増大させることなく、追加チャネルの割り当てを移動局１４に通知することができる。
【００２９】
以下では、上記処理を実現するために基地局１２が備える構成について説明する。
【００３０】
図３は、基地局１２の機能ブロック図である。同図に示すように、基地局１２は、アンテナ２０−１〜２０−４、無線通信部２２、ベースバンド部２４、信号処理部２６、および制御部２８（チャネル割り当て部３０、通常ＭＡＰ生成部３２、圧縮ＭＡＰ生成部３４、チャネル通知部３６）を含んで構成される。
【００３１】
アンテナ２０−１〜２０−４は、無線信号を受信し、受信された無線信号を無線通信部２２に出力する。また、アンテナ２０−１〜２０−４は、無線通信部２２からそれぞれ供給される無線信号を移動局１４に対して送信する。
【００３２】
無線通信部２２は、低雑音増幅器、電力増幅器、周波数変換器、帯域通過フィルタ、Ａ／Ｄ変換器、およびＤ／Ａ変換器を含んで構成される。無線通信部２２は、アンテナ２０−１〜２０−４のそれぞれから入力される無線信号を低雑音増幅器で増幅し、中間周波数信号にダウンコンバートしてから、ディジタルに変換された信号をベースバンド部２４に出力する。また、無線通信部２２は、ベースバンド部２４から入力されるディジタル信号をアナログ信号に変換した後、無線信号にアップコンバートし、電力増幅器で送信出力レベルまで増幅してから、アンテナ２０−１〜２０−４にそれぞれ供給する。
【００３３】
ベースバンド部２４は、ＦＦＴ（Fast Fourier Transform：高速フーリエ変換）部、ＩＦＦＴ（Inverse Fast Fourier Transform：逆高速フーリエ変換）部、ＭＩＭＯ処理部、直並列変換器、および並直列変換器を含んで構成される。ベースバンド部２４は、無線通信部２２から入力されるディジタル信号に、ＧＩ（Guard Interval）の除去、直並列変換、離散フーリエ変換、ＭＩＭＯ多重された信号の分離などを施し、得られた複素シンボル列の各サブキャリア成分をサブチャネルごとに連結した後、さらに移動局１４ごとに連結した複素シンボル列を信号処理部２６に出力する。また、ベースバンド部２４は、信号処理部２６から入力される移動局１４ごとに区分された複素シンボル列に、直並列変換、ＭＩＭＯ多重、逆離散フーリエ変換、並直列変換、ＧＩの付加などを施し、得られたディジタル信号を無線通信部２２に出力する。
【００３４】
信号処理部２６は、ベースバンド部２４から入力される移動局１４ごとに連結された複素シンボル列からシンボルの変調方式に応じた受信データを復号し、復号された受信データを制御部２８に出力する。また、信号処理部２６は、制御部２８から入力される各移動局１４への送信データ（たとえばＰＨＹヘッダ）に対して、制御部２８から指定される変調方式に応じたシンボルマッピング（振幅と位相の割り当て）を行い、移動局１４ごとに区分された複素シンボル列をベースバンド部２４に出力する。
【００３５】
制御部２８は、たとえばＣＰＵおよびＣＰＵの動作を制御するプログラムで構成され、基地局１２の各部を制御する。特に、制御部２８は、チャネル割り当て部３０、通常ＭＡＰ生成部３２、圧縮ＭＡＰ生成部３４、およびチャネル通知部３６を機能的に含み、移動局１４との通信に割り当てるＰＲＵの決定、決定されたＰＲＵの通知などを行う。
【００３６】
チャネル割り当て部３０は、既存チャネルと追加チャネルを併せた２８８のＰＲＵの中から移動局１４との通信に割り当てる少なくとも１つのＰＲＵを決定する。ここでは、チャネル割り当て部３０が、移動局１４との通信に割り当てるＰＲＵを周波数方向または時間方向に連続させる（隣り合わせる）ものとする。
【００３７】
具体的には、基地局１２が移動局１４とＭＩＭＯによる空間多重通信を行わない場合、チャネル割り当て部３０は、７２の既存チャネル（ＰＲＵ１〜ＰＲＵ７２）のうち少なくとも１つの既存チャネルを移動局１４との通信に割り当てる。
【００３８】
一方、基地局１２が移動局１４とＭＩＭＯによる空間多重通信を行う場合、基地局１２と移動局１４との間には２以上の伝搬経路が確立される。この場合、チャネル割り当て部３０は、基地局１２と移動局１４との間に確立される伝搬経路の数に応じて、少なくとも２つのＰＲＵを移動局１４との通信に割り当てる。たとえば、基地局１２と移動局１４との間に２つの伝搬経路が確立される場合、第１の伝搬経路に対応する７２の既存チャネル（ＰＲＵ１〜ＰＲＵ７２）のうち少なくとも１つのＰＲＵと、第２の伝搬経路に対応する７２の追加チャネル（ＰＲＵ７３〜ＰＲＵ１４４）のうち少なくとも１つのＰＲＵと、が移動局１４との通信に割り当てられる（図７参照）。
【００３９】
通常ＭＡＰ生成部３２は、チャネル割り当て部３０により移動局１４との通信に割り当てられるＰＲＵがすべて既存チャネル（ＰＲＵ１〜ＰＲＵ７２）である場合、すなわち基地局１２が移動局１４とＭＩＭＯによる空間多重通信を行わない場合に、その移動局１４との通信に対する７２の既存チャネルそれぞれの割り当て有無を示す７２ビットのビット列である通常ＭＡＰ（図１１参照）を生成する。通常ＭＡＰでは、たとえば、その移動局１４との通信に割り当てられる既存チャネルが“１”、割り当てられない既存チャネルが“０”で表される。
【００４０】
圧縮ＭＡＰ生成部３４は、チャネル割り当て部３０により移動局１４との通信に割り当てられるＰＲＵの少なくとも１つが追加チャネル（ＰＲＵ７３〜ＰＲＵ２８８）である場合、すなわち基地局１２が移動局１４とＭＩＭＯによる空間多重通信を行う場合に、その移動局１４との通信に割り当てられるＰＲＵを示す７２ビット以下の圧縮ＭＡＰを生成する。
【００４１】
図４は、圧縮ＭＡＰ生成部３４により生成される圧縮ＭＡＰおよび圧縮ＭＡＰを含むＰＨＹヘッダを示す図である。同図に示すように、圧縮ＭＡＰは、ＭＡＰヘッダ（ＭＡＰ−Ｈ）とＭＡＰボディ（ＭＡＰ−Ｂ）とからなる５〜６９ビットのビット列である。
【００４２】
図５は、ＭＡＰヘッダ（ＭＡＰ−Ｈ）の一例を示す図である。同図に示すように、ＭＡＰヘッダは、ＰＲＵの割り当て方向を示す１ビットの方向情報（PRU Assignment Direction）と、ＰＲＵの割り当て有無を示す４ビットの割り当て情報（ＭＡＰ１〜ＭＡＰ４）と、からなる５ビットのビット列である。方向情報には、たとえば、ＰＲＵの割り当て方向が周波数方向である場合に“１”が、ＰＲＵの割り当て方向が時間方向である場合に“０”が格納される。ＭＡＰ１には、第１の伝搬経路に対応する７２の既存チャネル（ＰＲＵ１〜ＰＲＵ７２）が移動局１４との通信に割り当てられるか否かに応じて、“１”（有効：割り当てられる）または“０”（無効：割り当てられない）が格納される。同様に、ＭＡＰ２，ＭＡＰ３，ＭＡＰ４には、第２の伝搬経路に対応する７２の追加チャネル（ＰＲＵ７３〜ＰＲＵ１４４）、第３の伝搬経路に対応する７２の追加チャネル（ＰＲＵ１４５〜ＰＲＵ２１６）、第４の伝搬経路に対応する７２の追加チャネル（ＰＲＵ２１７〜ＰＲＵ２８８）が移動局１４との通信に割り当てられるか否かに応じて、“１”または“０”がそれぞれ格納される。
【００４３】
図６は、ＭＡＰボディ（ＭＡＰ−Ｂ）の一例を示す図である。同図に示すように、ＭＡＰボディは、移動局１４との通信に割り当てられる連続する１以上のＰＲＵの開始位置を識別するＰＲＵ番号（OFFSET、上位８ビット）と、その連続する１以上のＰＲＵの連続数（Number of allocated PRU、下位８ビット）と、の組み合わせを少なくとも１組含む０〜６４ビットのビット列である。すなわち、ＭＡＰボディは、移動局１４との通信に「どのＰＲＵから」「何ＰＲＵ分連続して」ＰＲＵが割り当てられるかを示している。
【００４４】
たとえば、周波数方向に連続する５つの既存チャネル（ＰＲＵ６，ＰＲＵ１０，ＰＲＵ１４，ＰＲＵ１８，ＰＲＵ２２）と、周波数方向に連続する５つの追加チャネル（ＰＲＵ７８，ＰＲＵ８２，ＰＲＵ８６，ＰＲＵ９０，ＰＲＵ９４）と、が移動局１４との通信に割り当てられる場合（図７の太線枠内参照）、圧縮ＭＡＰの内容は次のようになる。
【００４５】
まず、ＰＲＵ割り当ての方向は周波数方向であるため、ＭＡＰヘッダの方向情報には“１”が格納される。また、第１の伝搬経路に対応する７２の既存チャネル（ＰＲＵ１〜ＰＲＵ７２）のうちの５つと、第２の伝搬経路に対応する７２の追加チャネル（ＰＲＵ７３〜ＰＲＵ１４４）のうちの５つと、が移動局１４との通信に割り当てられるため、ＭＡＰヘッダのＭＡＰ１とＭＡＰ２には“１”（有効）が、ＭＡＰ３とＭＡＰ４には“０”（無効）が、それぞれ格納される。すなわち、この場合、ＭＡＰヘッダは“０１１００”となる。
【００４６】
そして、ＰＲＵ６から始まる周波数方向に連続する５つのＰＲＵ（第１の伝搬経路、ＰＲＵ番号：０００００１１０、連続数：０００００１０１）と、ＰＲＵ７８から始まる周波数方向に連続する５つのＰＲＵ（第２伝搬経路、ＰＲＵ番号：０１００１１１０、連続数：０００００１０１）と、が移動局１４との通信に割り当てられるため、ＭＡＰボディは、“０００００１１００００００１０１”と“０１００１１１００００００１０１”とが連結されたものとなる。
【００４７】
チャネル通知部３６は、チャネル割り当て部３０により移動局１４との通信に割り当てられるＰＲＵを移動局１４に通知する。すなわち、チャネル通知部３６は、基地局１２が移動局１４とＭＩＭＯによる空間多重通信を行わない場合、通常ＭＡＰ生成部３２により生成される通常ＭＡＰ（７２ビット）を含むＰＨＹヘッダ（図１１参照）を生成し、基地局１２が移動局１４とＭＩＭＯによる空間多重通信を行う場合、通常ＭＡＰ生成部３２により生成される圧縮ＭＡＰ（５〜６９ビット）を含むＰＨＹヘッダ（図４参照）を生成する。そして、チャネル通知部３６は、こうして生成されたＰＨＹヘッダを送信データとして信号処理部２６に出力する。これにより、ＰＨＹヘッダがＡＮＣＨを介して移動局１４に送信され、移動局１４にＰＲＵの割り当てが通知される。
【００４８】
ここで、基地局１２の動作について説明する。
【００４９】
図８は、基地局１２が１フレームごとに行うチャネル通知処理を示すフロー図である。同図に示すように、基地局１２はまず、電波状況などに応じて、移動局１４との通信に割り当てるＰＲＵを決定する（Ｓ１００）。次に、基地局１２は、その移動局１４とＭＩＭＯによる空間多重通信を行わない場合には（Ｓ１０２：Ｎ）、Ｓ１００におけるチャネル割り当ての結果に基づいて通常ＭＡＰを生成する（Ｓ１０４）。一方、その移動局１４とＭＩＭＯによる空間多重通信を行う場合には（Ｓ１０２：Ｙ）、基地局１２は、Ｓ１００におけるチャネル割り当ての結果に基づいて圧縮ＭＡＰを生成する（Ｓ１０６）。そして、基地局１２は、Ｓ１０４で生成された通常ＭＡＰおよびＳ１０６で生成された圧縮ＭＡＰのいずれかを含むＰＨＹヘッダを生成し、移動局１４に送信する（Ｓ１０８）。
【００５０】
以上説明した実施形態によれば、基地局１２が、移動局１４との通信に少なくとも１つの追加チャネル（ＰＲＵ７３〜ＰＲＵ２８８）を割り当てる場合に、通常ＭＡＰに代えて、通常ＭＡＰのサイズ（７２ビット）以下の圧縮ＭＡＰ（５〜６９ビット）を移動局１４に送信するので、チャネル通知に要する通信リソースを増大させることなく、追加チャネルの割り当てを移動局１４に通知することができる。
【００５１】
なお、本発明は、上記実施形態に限定されるものではなく、種々の変形実施が可能である。
【００５２】
たとえば、上記実施形態では、ＭＩＭＯ技術を用いた空間多重通信によって移動局との通信に割り当て可能なＰＲＵの数を増加やした基地局に本発明を適用した例を示したが、本発明は、図９に示すように、使用周波数帯域の拡張などによって移動局との通信に割り当て可能なＰＲＵの数を増やした基地局にも適用可能である。
【００５３】
また、上記実施形態で示した通常ＭＡＰ（チャネル情報）や圧縮ＭＡＰ（圧縮チャネル情報）の構成は一例にすぎない。たとえば、圧縮チャネル情報は、そのサイズがチャネル情報のサイズ以下になるのであれば、いかなるアルゴリズムで圧縮されてもよい。
【符号の説明】
【００５４】
１０  移動通信システム、１２  基地局、１４  移動局、２０  アンテナ、２２  無線通信部、２４  ベースバンド部、２６  信号処理部、２８  制御部、３０  チャネル割り当て部、３２  通常ＭＡＰ生成部、３４  圧縮ＭＡＰ生成部、３６  チャネル通知部。
【図１】
2010177840.tif 000003
【図２】
2010177840.tif 000004
【図３】
2010177840.tif 000005
【図４】
2010177840.tif 000006
【図５】
2010177840.tif 000007
【図６】
2010177840.tif 000008
【図７】
2010177840.tif 000009
【図８】
2010177840.tif 000010
【図９】
2010177840.tif 000011
【図１０】
2010177840.tif 000012
【図１１】
2010177840.tif 000013